(57)【要約】【課題】毛髪やごみ等を容易に取り除くことができる排水装置を提供する。【解決手段】排水装置１０は、排水口３が形成された洗面器１に取り付けられており、上流端が排水口３に連通し、洗面器１からの排水が流入する排水路１０Ａと、排水路１０Ａ内に配置されたヘアキャッチャー１０Ｃと、排水路１０Ａのヘアキャッチャー１０Ｃが配置された領域に連通し、排水路１０Ａが延びる方向に交差する方向であって、排水路１０Ａの内周面に沿う方向にオーバーフロー水を流出する流出口７Ａを有したオーバーフロー経路１０Ｂとを備えている。【選択図】図２
2019167669.tif 000002
【特許請求の範囲】
【請求項１】
排水口が形成された水槽に取り付けられる排水装置であって、
上流端が前記排水口に連通し、前記水槽からの排水が流入する排水路と、
前記排水路内に配置されたヘアキャッチャーと、
前記排水路の前記ヘアキャッチャーが配置された領域に連通し、前記排水路が延びる方向に交差する方向であって、前記排水路の内周面に沿う方向に水を流出する流出口を有した流路と、
を備えていることを特徴とする排水装置。
【請求項２】
前記水槽は、前記排水口よりも高い位置にオーバーフロー口が形成され、
前記流路は、上流端が前記オーバーフロー口に連通し、前記流出口が下流端に形成され、前記オーバーフロー口から流入したオーバーフロー水が前記流出口から流出するオーバーフロー経路であることを特徴とする請求項１に記載の排水装置。
【請求項３】
前記排水路に対して前記ヘアキャッチャーの回転を防止する回転防止部を備えていることを特徴とする請求項１又は２に記載の排水装置。
【請求項４】
前記排水路の前記ヘアキャッチャーが配置された領域に前記排水路が延びる方向に交差する方向であって、前記排水路の内周面に沿う方向に流出するように、前記オーバーフロー水とは別の水を供給する供給路を備えていることを特徴とする請求項２又は３に記載の排水装置。
【請求項５】
前記供給路は、下流側から上流側に水が流れることを防止する逆流防止手段を有していることを特徴とする請求項４に記載の排水装置。
【発明の詳細な説明】
【技術分野】
【０００１】
本発明は、排水装置に関する。
【背景技術】
【０００２】
特許文献１の排水装置は、排水路にオーバーフロー経路の流出口が連通して連結され、オーバーフロー経路の流出口の下流側の排水路にヘアキャッチャーが配置されている。これにより、この排水装置は、オーバーフロー水と共にオーバーフロー経路の流出口から排水路に流入する毛髪やごみ等をヘアキャッチャーで捕集することができる。
【先行技術文献】
【特許文献】
【０００３】
【特許文献１】特開２００６−２６６０４５号公報
【発明の概要】
【発明が解決しようとする課題】
【０００４】
しかし、この排水装置は、ヘアキャッチャーに毛髪やごみ等が捕集されると、毛髪やごみ等がヘアキャッチャーに纏わり付いた状態になると考えられる。このため、この排水装置はヘアキャッチャーに捕集された毛髪やごみ等をヘアキャッチャーから取り除き難いと考えられる。
【０００５】
本発明は、上記従来の事情に鑑みてなされたものであって、捕集した毛髪やゴミ等を容易に取り除くことができる排水装置を提供することを解決すべき課題としている。
【課題を解決するための手段】
【０００６】
本発明の排水装置は、
排水口が形成された水槽に取り付けられる排水装置であって、
上流端が前記排水口に連通し、前記水槽からの排水が流入する排水路と、
前記排水路内に配置されたヘアキャッチャーと、
前記排水路の前記ヘアキャッチャーが配置された領域に連通し、前記排水路が延びる方向に交差する方向であって、前記排水路の内周面に沿う方向に水を流出する流出口を有した流路と、
を備えていることを特徴とする。
【０００７】
この排水装置は、排水路が延びる方向に交差する方向であって、排水路の内周面に沿う方向に流出口から水が排水路に流入することによって、排水路内のヘアキャッチャーが配置された領域に渦流が生じる。これにより、ヘアキャッチャーに捕集された毛髪やごみ等がまとめられ、ヘアキャッチャーで捕集した毛髪やごみ等を容易に取り除くことができる。
【０００８】
したがって、本発明の排水装置は毛髪やごみ等を容易に取り除くことができる。
【図面の簡単な説明】
【０００９】
【図１】実施例１の排水装置が接続された洗面器を示す断面図である。
【図２】実施例１の排水装置であって、排水栓が排水口を開放した状態を示す断面図である。
【図３】実施例１の排水装置であって、排水栓が排水口を閉鎖した状態を示す断面図である。
【図４】図２における矢示Ａ−Ａ断面図である。
【発明を実施するための形態】
【００１０】
本発明における好ましい実施の形態を説明する。
【００１１】
水槽は、排水口よりも高い位置にオーバーフロー口が形成され、
本発明の流路は、上流端がオーバーフロー口に連通し、流出口が下流端に形成され、オーバーフロー口から流入したオーバーフロー水が流出口から流出するオーバーフロー経路であり得る。この場合、オーバーフロー水によって、排水路内のヘアキャッチャーが配置された領域に渦流を生じさせることができるため、簡単な構造で渦流を生じさせることができる。
【００１２】
本発明の排水装置は、排水路に対してヘアキャッチャーの回転を防止する回転防止部を備え得る。この場合、ヘアキャッチャーは排水路に対して回転することが防止されるため、ヘアキャッチャーに捕集されてヘアキャッチャーに付着する毛髪やごみ等を渦流によってヘアキャッチャーから剥離し易くなる。
【００１３】
本発明の排水装置は、排水路のヘアキャッチャーが配置された領域に排水路が延びる方向に交差する方向であって、排水路の内周面に沿う方向に流出するように、オーバーフロー水とは別の水を供給する供給路を備え得る。この場合、排水路に所望のときに供給路から水を供給することができるため、所望のときにヘアキャッチャー内の毛髪やごみ等をまとめることができる。
【００１４】
本発明の供給路は、下流側から上流側に水が流れることを防止する逆流防止手段を有し得る。この場合、例えば、上水から供給路に水を供給する場合、上流側に排水が流れることを防止することができる。
【００１５】
次に、本発明の排水装置を具体化した実施例１について、図面を参照しつつ説明する。
【００１６】
＜実施例１＞
実施例１の排水装置１０は、図１に示すように、排水口３、及び排水口３よりも高い位置にオーバーフロー口７が形成された水槽である洗面器１に取り付けられる。排水装置１０は、排水路１０Ａ、流路であるオーバーフロー経路１０Ｂ、及びヘアキャッチャー１０Ｃを備えている。
洗面器１の排水口３は、洗面器１の上方から見た平面視において、円形に開口しており、洗面器１の底面１Ａから内側下方（上下は、図１における上側、下側である。）に向けて曲面で形成され、下方に向かって徐々に縮径し、下端部で内側に突出した縁部５を形成している。
また、洗面器１のオーバーフロー口７は、排水口３よりも上方（高い位置）であって、洗面器１の上端部に開口して形成されている。
また、洗面器１の上端の周縁近傍には水栓９が設けられている。水栓９には、水栓９から洗面器１に吐水する水を供給する給水路１１が連結されている。
【００１７】
排水路１０Ａは、図２に示すように、上流端が排水口３の下端部の縁部５に連通した状態で係止して連結し、下方に延びる垂下部１０Ｄと、垂下部１０Ｄの下端部に連結し、ほぼ水平方向に延びた水平部１０Ｅを有している。また、垂下部１０Ｄの下側は上側に比べて内径が小さく形成されており、垂下部１０Ｄの下側と上側との間には段部１０Ｆが形成されている。また、段部１０Ｆには互いに対向し、内向きに突出する一対の凸部１０Ｇが設けられている（図４参照。）。排水路１０Ａは洗面器１からの排水が流入する。
【００１８】
オーバーフロー経路１０Ｂは、図１に示すように、上流端が洗面器１のオーバーフロー口７に連通して連結され、下流端に形成された流出口７Ａが排水路１０Ａの垂下部１０Ｄの上下中央部に連通して連結されている。
また、オーバーフロー経路１０Ｂの上流端と下流端との間には給水路１１から分岐した供給路１３が連通して連結されている。また、供給路１３には、開閉弁１３Ａ及び逆流防止手段である逆止弁１３Ｂが設けられている。開閉弁１３Ａは、例えば、洗面器１の周縁近傍に設けられた第１操作部（図示せず）を操作することによって開閉することができる。逆止弁１３Ｂは開閉弁１３Ａより下流側の供給路１３に設けられている。逆止弁１３Ｂは、供給路１３の下流側から上流側に向けて水が流れることを防止する。
【００１９】
また、オーバーフロー経路１０Ｂの下流側は、図１〜３に示すように、排水路１０Ａに近づくにつれて下方に傾斜している。これにより、オーバーフロー経路１０Ｂを流下する水の流れを速くすることができる。また、オーバーフロー経路１０Ｂは、オーバーフロー経路１０Ｂの中心軸Ｃ２が排水路１０Ａの中心軸Ｃ１に対して交差しない位置で配置されている（図４参照。）。これにより、オーバーフロー口７から流入して流出口７Ａから流出するオーバーフロー水が、排水路１０Ａが延びる方向に交差する方向であって、排水路１０Ａの内周面の周方向に沿う方向に流出し、渦流Ｓを形成することができる。ここで、オーバーフロー水とは、オーバーフロー口７からオーバーフロー経路１０Ｂに流入した水である。
また、供給路１３からオーバーフロー経路１０Ｂに供給されるオーバーフロー水とは別の水も、排水路１０Ａが延びる方向に交差する方向であって、排水路１０Ａの内周面に沿う方向に流出し、渦流Ｓを形成することができる。
つまり、流出口７Ａは排水路１０Ａの内周面の周方向に沿う方向に水を流出する。
【００２０】
ヘアキャッチャー１０Ｃは、ほぼ椀状をなしており、水が通過する多数の貫通孔１０Ｈが貫通して設けられている。また、ヘアキャッチャー１０Ｃの上端部の外周縁には、ヘアキャッチャー１０Ｃの中心から放射方向に突出する複数の突起部１０Ｊが設けられている。ヘアキャッチャー１０Ｃは、排水路１０Ａの垂下部１０Ｄに形成された段部１０Ｆにこれら突起部１０Ｊを係止して排水路１０Ａ内に配置されている。また、これら突起部１０Ｊの内の互いに反対方向に位置する２つは、段部１０Ｆの一対の凸部１０Ｇに隣り合い配置される（図４参照。）。これにより、ヘアキャッチャー１０Ｃは、排水路１０Ａに対して回転することを防止される。つまり、凸部１０Ｇ及び突起部１０Ｊは、排水路１０Ａに対してヘアキャッチャー１０Ｃの回転を防止する回転防止部である。
また、図２、３に示すように、オーバーフロー経路１０Ｂの流出口７Ａは排水路１０Ａのヘアキャッチャー１０Ｃが配置された領域に連通している。
また、ヘアキャッチャー１０Ｃの中央部には後述する排水栓３０の軸部３０Ｂを遊挿する貫通孔１０Ｋが設けられている。ヘアキャッチャー１０Ｃは軸部３０Ｂが昇降しても昇降せず、排水路１０Ａの垂下部１０Ｄの段部１０Ｆに突起部１０Ｊが係止された状態を維持することができる。
【００２１】
また、排水路１０Ａには排水栓３０が配置されている。排水栓３０は、排水栓本体３０Ａ、軸部３０Ｂ、第１マグネット３０Ｅを保持する第１保持部３０Ｃ、及びパッキン３０Ｄを有している。
排水栓本体３０Ａは円盤状であり、その径は排水口３の上端部（洗面器１の底面１Ａから下方に傾斜し始めた部分）の径よりも小さく、排水路１０Ａの垂下部１０Ｄの上端部の外径よりも大きい。
軸部３０Ｂは、円柱状であり、排水栓本体３０Ａの下面中央から下方に延びている。
第１保持部３０Ｃは第１マグネット３０Ｅが収納されている。第１マグネット３０Ｅは永久磁石である。第１マグネット３０Ｅは、下面がＳ極、上面がＮ極になるように第１保持部３０Ｃに収納されている。
パッキン３０Ｄは排水栓本体３０Ａの下部周縁に嵌められている。排水栓本体３０Ａが下降するとパッキン３０Ｄの外周面が排水口３の内面に当接し、排水口３を水密状に閉鎖する。
【００２２】
また、排水路１０Ａの水平部１０Ｅの外側面には水平部１０Ｅと一体的に形成され、内部に空間が形成されたケース４０が設けられている。そして、ケース４０内には、第１マグネット３０Ｅで生じる磁界に対して反発する磁界を生成する第２マグネット４０Ａ、第２マグネット４０Ａを保持する第２保持部４０Ｂ、及びピストン４０Ｃが配置されている。第２マグネット４０Ａは永久磁石である。
【００２３】
第２保持部４０Ｂはケース４０内の上部に設けられた軸部４０Ｄ周りに水平方向に配置された水平状態（図２参照）、及び垂直方向に配置された垂直状態（図３参照。）に回動自在に軸部４０Ｄに連結されている。第２保持部４０Ｂには第２マグネット４０Ａが収納されている。第２マグネット４０Ａは、第２保持部４０Ｂが水平状態において、上面がＳ極、下面がＮ極になるように第２保持部４０Ｂに収納されている。
【００２４】
ピストン４０ＣにはワイヤＷの一端が連結されている。ワイヤＷの他端は、例えば、洗面器１の上端部の周縁近傍に設けられた第２操作部（図示せず）に連結されている。第２操作部を操作すると、ワイヤＷを介して第２操作部を操作する操作力がピストン４０Ｃに伝達される。これにより、ピストン４０Ｃがケース４０内を移動して、第２保持部４０Ｂを垂直状態又は水平状態に変更することができる。
【００２５】
第２操作部を操作して、第２保持部４０Ｂを垂直状態から水平状態にする場合について説明する。第２操作部を操作すると、ワイヤＷを介して第２操作部を操作する操作力がピストン４０Ｃに伝達され、第２保持部４０Ｂがピストン４０Ｃによって押される。これにより、垂直状態の第２保持部４０Ｂは軸部４０Ｄ周りに回動し水平状態に変化する（図２参照。）。すると、第２マグネット４０ＡのＳ極側の面が第１マグネット３０Ｅの下面（すなわちＳ極側の面）の真下に位置する。これにより、図２に示すように、排水栓３０は第１マグネット３０Ｅと第２マグネット４０Ａとの間で生じる反発力によって排水路１０Ａ内を上昇し、排水栓本体３０Ａが排水口３を開放する。このとき、ヘアキャッチャー１０Ｃは上昇せず、排水路１０Ａの垂下部１０Ｄの段部１０Ｆに突起部１０Ｊが係止された状態を維持する。
【００２６】
次に、第２操作部を操作して、第２保持部４０Ｂを水平状態から垂直状態にする場合について説明する。第２操作部を操作すると、ピストン４０Ｃは、第２保持部４０Ｂを押し上げて水平状態にする位置から第２保持部４０Ｂを垂直状態にする位置にケース４０内を移動する。これにより、水平状態の第２マグネット４０Ａ軸部４０Ｄ周りに回動し垂直状態に変化し、第１マグネット３０Ｅから遠ざかり、第１マグネット３０Ｅと第２マグネット４０Ａとの間で生じる反発力が小さくなる。このため、図３に示すように、排水栓３０は上昇した位置から下降し、排水栓本体３０Ａが排水口３を閉鎖する。
【００２７】
次に、排水装置１０における作用について説明する。
排水栓３０が排水口３を閉鎖した状態にする。そして、例えば、水栓９から吐水を続けて洗面器１に水を貯溜する。そして、洗面器１に貯溜された水の水位がオーバーフロー口７の下端より高くなると、オーバーフロー口７を介してオーバーフロー経路１０Ｂに水が流入し、オーバーフロー水としてオーバーフロー経路１０Ｂを流下する。
オーバーフロー水がオーバーフロー経路１０Ｂから排水路１０Ａに流入すると、排水路１０Ａの周方向の一方向に旋回して流れ渦流Ｓを形成する（図４参照。）。このとき、オーバーフロー水はヘアキャッチャー１０Ｃが配置された領域において、排水路１０Ａ内を旋回する。ヘアキャッチャー１０Ｃの突起部１０Ｊが排水路１０Ａの凸部１０Ｇに隣り合い配置されているため、ヘアキャッチャー１０Ｃは排水路１０Ａに対する回転が防止されている。これにより、オーバーフロー水はヘアキャッチャー１０Ｃに対して旋回しながら流れることができる。こうして、オーバーフロー水で形成された渦流Ｓによって、ヘアキャッチャー１０Ｃに捕集された毛髪やごみ等がまとめられる。
【００２８】
また、排水栓３０が排水口３を開放した状態の場合、第１操作部（図示せず）を操作し、開閉弁１３Ａを開閉することによって、供給路１３からオーバーフロー経路１０Ｂを経由してオーバーフロー水とは別の水を排水路１０Ａに供給することができる。これにより、オーバーフロー水とは別の水で排水路１０Ａに渦流Ｓを形成することができ、この渦流Ｓによっても、ヘアキャッチャー１０Ｃに捕集されていた毛髪やごみ等を良好にまとめることができる。
【００２９】
このように、排水装置１０は、排水路１０Ａが延びる方向に交差する方向であって、排水路１０Ａの内周面に沿う方向に流出口７Ａからオーバーフロー水が排水路１０Ａに流入することによって、排水路１０Ａ内のヘアキャッチャー１０Ｃが配置された領域に渦流Ｓが生じる。これにより、ヘアキャッチャー１０Ｃに捕集された毛髪やごみ等がまとめられ、ヘアキャッチャー１０Ｃで捕集した毛髪やごみ等を容易に取り除くことができる。
【００３０】
したがって、本発明の排水装置１０は毛髪やごみ等を容易に取り除くことができる。
【００３１】
また、洗面器１は、排水口３よりも高い位置にオーバーフロー口７が形成され、オーバーフロー経路１０Ｂは、上流端がオーバーフロー口７に連通し、流出口７Ａが下流端に形成され、オーバーフロー口７から流入したオーバーフロー水が流出口７Ａから流出する。このため、オーバーフロー水によって、排水路１０Ａ内のヘアキャッチャー１０Ｃが配置された領域に渦流Ｓを生じさせることができるため、簡単な構造で渦流Ｓを生じさせることができる。
【００３２】
また、排水装置１０は、排水路１０Ａに対してヘアキャッチャー１０Ｃの回転を防止する凸部１０Ｇ及び突起部１０Ｊを備えている。このため、ヘアキャッチャー１０Ｃは排水路１０Ａに対して回転することが防止されるため、ヘアキャッチャー１０Ｃに捕集されてヘアキャッチャー１０Ｃに付着する毛髪やごみ等を渦流Ｓによってヘアキャッチャー１０Ｃから剥離し易くなる。
【００３３】
また、排水装置１０は、排水路１０Ａのヘアキャッチャー１０Ｃが配置された領域に排水路１０Ａが延びる方向に交差する方向であって、排水路１０Ａの内周面に沿う方向に流出するように、オーバーフロー水とは別の水を供給する供給路１３を備えている。このため、排水路１０Ａに所望のときに供給路１３から水を供給することができるため、所望のときにヘアキャッチャー１０Ｃ内の毛髪やごみ等をまとめることができる。
【００３４】
また、供給路１３は、下流側から上流側に水が流れることを防止する逆止弁１３Ｂを有している。このため、上水から供給路１３に水を供給する場合、上流側に排水等が流れることを防止することができる。
【００３５】
本発明は上記記述及び図面によって説明した実施例１に限定されるものではなく、例えば次のような実施例も本発明の技術的範囲に含まれる。
（１）実施例１では、供給路に逆止弁が設けられているが、供給路に逆流防止空間等を設けてもよい。
（２）実施例１では、凸部と突起部とで回転防止部を構成しているが、排水栓を排水路に対して回転しない構成とし、ヘアキャッチャーの貫通孔と排水栓の軸部との間に回転防止部を設けてもよい。
（３）実施例１では、排水装置が洗面器に取り付けられているが、オストメイト等に取り付けてもよい。また、浴室の排水口等に取り付けてもよい。
【符号の説明】
【００３６】
１０…排水装置
１０Ａ…排水路
１０Ｂ…オーバーフロー経路（流路）
１０Ｃ…ヘアキャッチャー
１０Ｇ…凸部（回転防止部）
１０Ｊ…突起部（回転防止部）
１３…供給路
１３Ｂ…逆止弁（逆流防止手段）
【図１】
2019167669.tif 000003
【図２】
2019167669.tif 000004
【図３】
2019167669.tif 000005
【図４】
2019167669.tif 000006